(57)【要約】【課題】導光部材の着脱が容易で、しかも導光部材を確実に係止させることが可能なメータ装置を提供する。【解決手段】光源を収容するケース９と、ケース９の前面に設けられる文字板５と、ケース９の前方側から取り付けられてケース９と文字板５との間に配置され、光源からの光を文字板５に導く導光部材７と、を備え、ケース９には、導光部材７側へ突出する係止片３１が設けられ、導光部材７は、係止片３１を係止する爪部２３を有する弾性変形可能な係止爪２１が設けられ、係止片３１は、ケース９への導光部材７の装着方向側から工具によって係止爪２１による係止片３１への係止を解除すべく工具が挿通可能な挿通孔３２及び切欠き部３３を有する。【選択図】図４
2014032043.tif 000002
【特許請求の範囲】
【請求項１】
光源を収容するケースと、
前記ケースの前面に設けられる文字板と、
前記ケースの前方側から取り付けられて前記ケースと前記文字板との間に配置され、前記光源からの光を前記文字板に導く導光部材と、
を備え、
前記ケースには、前記導光部材側へ突出する係止片が設けられ、
前記導光部材は、前記係止片を係止する爪部を有する弾性変形可能な係止爪が設けられ、
前記係止片は、前記ケースへの前記導光部材の装着方向側から工具によって前記係止爪による前記係止片への係止を解除すべく前記工具が挿通可能な開口部を有することを特徴とするメータ装置。
【請求項２】
前記係止爪は、前記爪部と前記導光部材との間に、断面視略Ｕ字状に形成された屈曲部を有することを特徴とする請求項１に記載のメータ装置。
【発明の詳細な説明】
【技術分野】
【０００１】
本発明は、車両、航空機、船舶等に搭載されるメータ装置に関するものである。
【背景技術】
【０００２】
従来のメータ装置として、図５に示すように、ケース１０１と文字板との間に、光源が発した光を文字板の目盛及び文字、または指針まで導いて、これらの目盛及び文字、または指針を光輝させる導光部材１０２を設けたものが知られている（例えば、特許文献１参照）。このメータ装置は、導光部材１０２に形成した爪部１０３をケース１０１の係止部１０４へ係止させることで導光部材１０２をケース１０１へ組み付ける構造を有している。
【０００３】
また、図６に示すように、ケース１１１側に爪部１１２を形成し、ケース１１１側の爪部１１２で導光部材１１３の係止部１１４を係止する構造も知られている（例えば、特許文献２参照）。
【０００４】
また、爪部を係止させて２部品を組み付ける構造には、図７に示すように、爪部１２１を有する部品の装着側から治具１２２を挿し込んで爪部１２１を変形させることで係止状態の解除が可能なものが知られている（例えば、特許文献３参照）。
【先行技術文献】
【特許文献】
【０００５】
【特許文献１】特開２０１０−８３３４号公報
【特許文献２】特開２００７−３３３９０号公報
【特許文献３】特開平９−２８０１８号公報
【発明の概要】
【発明が解決しようとする課題】
【０００６】
特許文献１に記載のメータ装置では、導光部材１０２を取り外す際に、ケース１０１の背面側から爪部１０３を変形させて係止状態を解除することとなり、導光部材１０２の交換作業が煩雑であった。
【０００７】
これに対して、特許文献２に記載のメータ装置では、導光部材１１３の装着側からケース１１１の爪部１１２を変形させて係止状態を解除することができ、導光部材１１３の交換作業性の向上が図られる。しかし、ケース１１１の材料は、アクリル材等からなる導光部材１１３と異なり、弾性に乏しいが安価なポリプロピレン（ＰＰ）系の材料から形成されることが一般的であり、このため、導光部材１１３に爪部１１２を設ける場合と比較して、寸法制限によって設置面積等が制約されてしまう。
【０００８】
また、治具１２２によって爪部１２１の係止状態の解除が可能な特許文献３に記載の係止構造では、挿し込んだ治具１２２で爪部１２１が変形するように、爪部１２１側にテーパ突起１２１ａを設けている。このため、爪部１２１を有する弾性片１２３とロック片受容部１２４との間に隙間が生じ、振動等が生じた際に、爪部１２１が外れてしまうおそれがある。
【０００９】
本発明は、上述した事情に鑑みてなされたものであり、その目的は、導光部材の着脱が容易で、しかも導光部材を確実に係止させることが可能なメータ装置を提供することにある。
【課題を解決するための手段】
【００１０】
前述した目的を達成するために、本発明に係るメータ装置は、下記（１）及び（２）を特徴としている。
（１）  光源を収容するケースと、
前記ケースの前面に設けられる文字板と、
前記ケースの前方側から取り付けられて前記ケースと前記文字板との間に配置され、前記光源からの光を前記文字板に導く導光部材と、
を備え、
前記ケースには、前記導光部材側へ突出する係止片が設けられ、
前記導光部材は、前記係止片を係止する爪部を有する弾性変形可能な係止爪が設けられ、
前記係止片は、前記ケースへの前記導光部材の装着方向側から工具によって前記係止爪による前記係止片への係止を解除すべく前記工具が挿通可能な開口部を有すること。
（２）  上記（１）の構成のメータ装置において、前記係止爪は、前記爪部と前記導光部材との間に、断面視略Ｕ字状に形成された屈曲部を有すること。
【００１１】
上記（１）の構成のメータ装置では、弾性に優れた材料から形成される導光部材側に弾性変形させる係止爪を形成し、弾性に乏しいが安価である材料から形成されるケース側に係止爪が係止する係止片を形成している。しかも、係止片に、ケースへの導光部材の装着方向側から工具が挿通可能な開口部を形成し、ケースの前面側から係止爪の爪部による係止片への係止の解除を可能としている。つまり、材料特性に適した部材各々に係止構造を設けたことで、弾性形状・寸法等の設計事項に多くの配慮を要することなく、導光部材を確実に係止させることができ、しかも、導光部材の着脱の容易化を図ることができる。
上記（２）の構成のメータ装置では、係止爪に断面視略Ｕ字状に形成された屈曲部を設けたことで、爪部を良好に変位させることができ、ケースに対する導光部材の着脱性を大幅に向上させることができる。
【発明の効果】
【００１２】
本発明のメータ装置によれば、導光部材の着脱が容易で、しかも導光部材を確実に係止させることが可能なメータ装置を提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態に係るメータ装置を示す正面図である。
【図２】図２は、図１におけるＩＩ−ＩＩ線の断面図である。
【図３】図３は、ケースと導光部材との係止箇所の断面図である。
【図４】図４は、ケースと導光部材との係止箇所を断面視した斜視図である。
【図５】図５は、従来のメータ装置を示す斜視図である。
【図６】図６は、従来のメータ装置を示す断面図である。
【図７】図７は、係止構造の例を示す断面図である。
【発明を実施するための形態】
【００１５】
以下、本発明の実施形態について、添付図面を参照しながら詳細に説明する。
【００１６】
図１は、本発明の実施形態に係るメータ装置を示す正面図、図２は、図１におけるＩＩ−ＩＩ線の断面図、図３は、ケースと導光部材との係止箇所の断面図、図４は、ケースと導光部材との係止箇所を断面視した斜視図である。
【００１７】
図１及び図２に示すように、本実施形態に係るメータ装置１は、例えば、自動車用のスピードメータに適用されており、基板２と、基板２の上に実装された文字板照明用の光源３と、この光源３が搭載された基板２の裏面に搭載されたムーブメント４と、文字板５と、見返板６と、内面が反射面を構成する反射板８と、文字板５と反射板８との間に設けられた導光部材７と、基板２及びムーブメント４を収容するケース９と、指針１０と、裏カバー１１と、トリップメータなどを構成するＬＣＤ１２及びその光源１３と、基板２上の指針軸４１近傍に搭載した指針照明用の光源１４と、を備えている。ケース９は、弾性に乏しいが安価なポリプロピレン（ＰＰ）系の材料から形成されている。裏カバー１１も、ケース９と同様に、ポリプロピレン（ＰＰ）系の材料から形成されており、ケース９に装着されることで、ケース９の裏面側を覆う。
【００１８】
本実施形態のメータ装置１は、コンビネーションメータの一部を構成しており、表面側の全周が見返板６で覆われている。また、この見返板６には、メータ装置１を含む各種計器類を設置するための各種表示窓を開口させている。更に、この見返板６は、透明なカバーガラス１５で前面側が覆われている。
【００１９】
導光部材７は、例えば、アクリル等の導光性に優れた適宜の透光性（若しくは導光性）材料で成形されたプリズムまたは拡散板であり、ケース９に対して前方側から装着される。この導光部材７は、筒状部７ａと、この筒状部７ａにおける文字板５側に形成された板状部７ｂとを有している。基板２に設けられた光源３としては、照明光を出射するＬＥＤが用いられており、複数個のものが互いに所定間隔で放射状に設置され、導光部材７の筒状部７ａの端面に対向した位置に配置されている。
【００２０】
反射板８は、ケース９に一体に形成されており、導光部材７の筒状部７ａの外周及び導光部材７の板状部７ｂの裏面に沿って設けられている。この反射板８における導光部材７側の面は、成形金型の鏡面仕上げによって反射に適した表面とされており、導光部材７の光を前方へ反射する。
【００２１】
基板２と文字板５との間には、筒状体１６が設けられており、この筒状体１６が、導光部材７の筒状部７ａ内に収容されている。そして、この筒状体１６によって指針軸４１の周囲が覆われている。また、基板２に実装された指針照明用の光源１４は、筒状体１６の内側に配置されており、これらの光源１４の光が、指針１０の導光部１０ａから指針１０へ導かれ、指針１０が照明する。
【００２２】
なお、本実施形態の光源３としては、特にＬＥＤに限定されるものではないが、消費電力が少なく小型の点光源である点でこのＬＥＤが好ましい。ＬＣＤ１２用の光源１３及び指針照明用の光源１４についても、同様であってＬＥＤが使用されているが、消費電力が少なく小型の点光源である点でこのＬＥＤが好ましい。
【００２３】
ムーブメント４は、メータ装置１を搭載する自動車の走行スピードに対応した速度表示を行うため、図示外の速度検出器からの信号に応じた適宜の角度だけ指針１０を回動させるものである。このムーブメント４は、図示外の適宜のモータ、例えばステッパモータ、及び図示外の必要な減速機構などが内蔵されており、指針軸４１を介して指針１０と一体に接続されている。
【００２４】
文字板５には、意匠、例えば、目盛Ｍ、数字Ｆ、文字、記号など、車自体或いは車周辺の環境などに関する必要情報を印字しているとともに、トリップメータなどを構成するＬＣＤ１２のような必要情報を表示している。本実施形態の文字板５は、透光性を有する適宜の薄板材などを用いて円盤状（又は半円盤状）に形成されている。
【００２５】
図３及び図４に示すように、導光部材７には、その外周における一部に、係止爪２１が形成されている。この係止爪２１は、屈曲部２２と爪部２３とを有している。屈曲部２２は、導光部材７側の連結部２２ａから導光部材７のケース９への装着方向と反対側へ延在され、Ｕ字状に屈曲されて折り返されて導光部材７のケース９への装着方向へ延在されている。爪部２３は、屈曲部２２の先端に形成されて外方へ突出されている。爪部２３は、その先端側における外側が先端から爪部２３の突出側へ向かって次第に傾斜するテーパ面２３ａとされている。
【００２６】
また、ケース９には、その内面に、係止爪２１の爪部２３が係止可能な係止片３１が、導光部材７へ向かって延在されている。この係止片３１は、矩形状の挿通孔（開口部）３２を有している。また、この係止片３１の両側部には、切欠き部（開口部）３３が形成されている。
【００２７】
なお、ケース９の内面には、保持突起３５が形成されており、導光部材７は、この保持突起３５に係合されて保持される。
【００２８】
上記のメータ装置１では、ムーブメント４の内部に設けたモータが、図示しない速度センサによって検出された現在速度に対応するセンサ信号に基づいて回転駆動する。そして、これに一体に接続されている指針１０が回動し、文字板５の数字Ｆや目盛Ｍを指示する。これによって、現在速度を運転者などにアナログ表示させて知らせることができる。
【００２９】
このような速度表示を行うメータ装置１にあっては、特に夜間などの場合、ヘッドライトなどの点灯動作と同時に光源３，１４も発光動作する。そして、光源３の光が、導光部材７の筒状部７ａの端面から導入され、この筒状部７ａを通って導光部材７の板状部７ｂの全体へ導かれる。これにより、板状部７ｂの全体が発光することとなる。また、導光部材７の裏面側へ照射される光は、反射板８で反射されてメータ装置１の前方側へ導かれる。これにより、文字板５の全体が後方側から照明され、文字板５の数字Ｆや目盛Ｍが発光照明する。また、光源１４の光は、指針１０の導光部１０ａから指針１０へ導かれ、よって、指針１０が照明する。
【００３０】
上記のメータ装置１において、導光部材７を組み付けるには、文字板５の装着前に、ケース９に対して、その前面側から導光部材７を嵌め込む。このようにすると、まず、係止爪２１の爪部２３のテーパ面２３ａがケース９の係止片３１に当接し、その後、テーパ面２３ａに係止片３１が摺接し、係止爪２１の爪部２３が導光部材７の中央側へ押し込まれ、よって、屈曲部２２が弾性変形する。さらに、導光部材７をケース９へ嵌め込むことで、係止爪２１の爪部２３が係止片３１を越えると、弾性変形されていた屈曲部２２が復元する。これにより、係止爪２１の爪部２３が係止片３１の裏側に入り込み、係止片３１に係止爪２１が係止する。これにより、導光部材７がケース９に装着される。
【００３１】
また、導光部材７を取り外すには、文字板５を取り外した状態で、ケース９への導光部材７の装着方向側から係止片３１の挿通孔３２または切欠き部３３へ工具Ｔ（図３参照）を挿し込む。この工具Ｔは、例えば、マイナスドライバなどが用いられる。そして、この工具Ｔをケース９の内面と爪部２３との間に挿し込む。このとき、特に、挿通孔３２では、その内縁によって工具Ｔがガイドされることで、工具Ｔの挿し込み作業の円滑化が図られる。
【００３２】
このように、工具Ｔをケース９の内面と爪部２３との間に挿し込むと、係止爪２１の爪部２３が導光部材７の中央側へ押し込まれ、屈曲部２２が弾性変形し、よって、爪部２３が導光部材７側へ変位する。この爪部２３が係止片３１よりも導光部材７側へ変位すると、爪部２３による係止片３１の係止が解除される。この状態で、導光部材７をケース９への装着方向と反対方向である取り外し方向へ引き出すことで、導光部材７がケース９から取り外される。
【００３３】
このように、上記実施形態に係るメータ装置によれば、弾性に優れた材料から形成される導光部材７側に弾性変形させる係止爪２１を形成し、弾性に乏しいが安価である材料から形成されるケース９側に係止爪２１が係止する係止片３１を形成している。しかも、係止片３１に、ケース９への導光部材７の装着方向側から工具Ｔが挿通可能な挿通孔３２及び切欠き部３３を形成し、ケース９の前面側から係止爪２１の爪部２３による係止片３１の係止の解除を可能としている。つまり、材料特性に適した部材各々に係止構造を設けたことで、弾性形状・寸法等の設計事項に多くの配慮を要することなく、導光部材７を確実に係止させることができ、しかも、導光部材７の着脱の容易化を図ることができる。
【００３４】
また、係止爪２１に断面視略Ｕ字状に形成された屈曲部２２を設けたことで、爪部２３を良好に変位させることができ、ケース９に対する導光部材７の着脱性を大幅に向上させることができる。
【００３５】
なお、上記実施形態では、係止片３１に矩形状の挿通孔３２を形成したが、この挿通孔３２の形状は矩形状に限定されず、例えば、導光部材７側が円弧状とされた半円形状等であっても良い。
【００３６】
また、上記実施形態では、係止片３１に挿通孔３２を形成し、さらに、係止片３１の両側に切欠き部３３を形成したが、挿通孔３２または切欠き部３３のいずれか一方を形成しても良い。
【００３７】
なお、本発明は、上述した実施形態に何ら限定されるものではなく、その要旨を逸脱しない範囲において種々の形態で実施し得るものである。例えば、上記した各実施形態では、光源として、目盛部、指針、文字板での数字などの意匠部分をそれぞれ別個の専用光源で照明させているが、単一のもの、又は単一種類のものを複数個設置して供用させてもよい。
【００３８】
また、本発明の照明構造が適用されたメータ装置としては、例えば本実施形態のスピードメータ部の他に、例えば、タコメータ部、燃料計部、及び水温計等の各種計器類への適用が可能である。
【符号の説明】
【００３９】
１  メータ装置
３  光源
５  文字板
７  導光部材
９  ケース
２１  係止爪
２２  屈曲部
２３  爪部
３１  係止片
３２  挿通孔（開口部）
３３  切欠き部（開口部）
Ｔ  工具
【図１】
2014032043.tif 000003
【図２】
2014032043.tif 000004
【図３】
2014032043.tif 000005
【図４】
2014032043.tif 000006
【図５】
2014032043.tif 000007
【図６】
2014032043.tif 000008
【図７】
2014032043.tif 000009